(57)【要約】      （修正有）【課題】ディスクの傷やダメージを回避し、有効なスペース利用が可能で、様々なサイズのディスクの利用が可能な、光学式モジュールを提供する。【解決手段】光学式ディスク・ドライブ用ローディング・アンローディング・モジュールは、トラック・プレート４４と、可動プレート４３と、ガイド・プレート４１と、ガイド・アーム４２と、３点アンカ用の３本のローラとより構成し、従来のトレイ・ローディング・タイプまたはリーフ・アクチュエイション・ローディング・タイプの代替技術として、ディスクの回収、移動、取り出しの機能を果たすものである。【選択図】図１Ｂ
2005056541.tif 000002
【特許請求の範囲】
【請求項１】
前後端部と、前端部の両側に対称に配置した２つのガイド・トラックと、後短部に配置したリア・トラックとを有した、トラック・プレートと、
トラック・プレート上に配置され、後端部にリア・トラックと対応するボトム・トラックとを有し、両側に対称に配置したガイド・トラックと対応する可動トラックとを有した、可動プレートと、
可動プレート上に固定し、前方端部の両側に水平に配置した２つの横断トラックを有する、ガイド・プレートと、
可動プレートとガイド・プレートとに連結され、可動プレートとガイド・プレートとを弾性的に相互間移動可能とする、弾性メカニズムと、
トラック・プレートのガイド・トラックと、可動プレートの可動トラックと、ガイド・プレートの横断トラックとに可動的に連結される、２本の前方ローラと、
トラック・プレートのリア・トラックと可動プレートのボトム・トラックとに可動的に連結される、リア・ローラと、
ガイド・プレート上に可動プレートと可動的に枢支可能に係合し、リア・ローラと連結するリア・エンド・トラックと、フロント・ローラと連結するフロント・エンドとを有した、ガイド・アームとより構成した、
光学式ディスクの光学式ディスク・ドライブへの送入出に用いる光学式ディスク・ドライバー用ローディング・アンローディング・モジュール。
【請求項２】
請求項１に記載のモジュールにおいて、各ガイド・トラックが、メイン・トラックと２次トラックとを有し、前記２次トラックがメイン・トラックの前方端部とつながり、前記可動プレートが2次トラックに対応する第二トラックを有することを特徴とする、
光学式ディスクの光学式ディスク・ドライブへの送入出に用いる光学式ディスク・ドライバー用ローディング・アンローディング・モジュール。
【請求項３】
請求項２に記載のモジュールにおいて、メイン・トラックが最側部の死点に側死点を有することを特徴とする、
光学式ディスクの光学式ディスク・ドライブへの送入出に用いる光学式ディスク・ドライバー用ローディング・アンローディング・モジュール。
【請求項４】
請求項２に記載のモジュールにおいて、メイン・トラックが前方端部に死点を有することを特徴とする、
光学式ディスクの光学式ディスク・ドライブへの送入出に用いる光学式ディスク・ドライバー用ローディング・アンローディング・モジュール。
【請求項５】
請求項２に記載のモジュールにおいて、メイン・タスクは、後方端部に死点を有することを特徴とする、
光学式ディスクの光学式ディスク・ドライブへの送入出に用いる光学式ディスク・ドライバー用ローディング・アンローディング・モジュール。
【請求項６】
請求項１に記載のモジュールにおいて、可動トラックは、第一トラックと第二トラックとを有し、可動プレートは中心部にオープニングを有することを特徴とする、
光学式ディスクの光学式ディスク・ドライブへの送入出に用いる光学式ディスク・ドライバー用ローディング・アンローディング・モジュール。
【請求項７】
請求項１に記載のモジュールにおいて、
可動プレートは、少なくとも１つのアンカー・トラックを有し、トラック・プレートが、アンカー・トラックと対応する複数のアンカー・バルジ・スポットを持ち、アンカー・トラック中で相互移動可能なことを特徴とする、
光学式ディスクの光学式ディスク・ドライブへの送入出に用いる光学式ディスク・ドライバー用ローディング・アンローディング・モジュール。
【請求項８】
請求項１に記載のモジュールにおいて、
可動プレートは、両側に夫々係止部を設けて、トラック・プレートを係止することを特徴とする、
光学式ディスクの光学式ディスク・ドライブへの送入出に用いる光学式ディスク・ドライバー用ローディング・アンローディング・モジュール。
【請求項９】
請求項１に記載のモジュールにおいて、
可動プレートは、バルジ・リッジとリセスを有して、光学式ディスク・ドライブのクランパと対応し、可動プレートに対するクランパの相対位置をコントロールすることを特徴とする、
光学式ディスクの光学式ディスク・ドライブへの送入出に用いる光学式ディスク・ドライバー用ローディング・アンローディング・モジュール。
【請求項１０】
請求項１に記載のモジュールにおいて、
弾性メカニズムがスプリングであることを特徴とする、
光学式ディスクの光学式ディスク・ドライブへの送入出に用いる光学式ディスク・ドライバー用ローディング・アンローディング・モジュール。
【請求項１１】
請求項１に記載のモジュールにおいて、
更に前方ローラと後方ローラとを同期移動可能とするように、夫々が前方ローラと後方ローラと連結される、前方端部トラックと後方端部トラックとを持つ、ガイド・アームを有することを特徴とする、
光学式ディスクの光学式ディスク・ドライブへの送入出に用いる光学式ディスク・ドライバー用ローディング・アンローディング・モジュール。
【請求項１２】
請求項１に記載のモジュールにおいて、
前方ローラと連結してディスクを取り出す、駆動部材を有することを特徴とする、
光学式ディスクの光学式ディスク・ドライブへの送入出に用いる光学式ディスク・ドライバー用ローディング・アンローディング・モジュール。
【請求項１３】
請求項１に記載のモジュールにおいて、
可動プレートの位置を検知する、検知モジュールを有することを特徴とする、
光学式ディスクの光学式ディスク・ドライブへの送入出に用いる光学式ディスク・ドライバー用ローディング・アンローディング・モジュール。
【請求項１４】
請求項１に記載のモジュールにおいて、
ディスクの反復ローディングを回避するために、ディスク入口の内側にストッパを配置したことを特徴とする、
光学式ディスクの光学式ディスク・ドライブへの送入出に用いる光学式ディスク・ドライバー用ローディング・アンローディング・モジュール。
【請求項１５】
請求項１に記載のモジュールにおいて、
前記モジュールは、更にトラック・プレート上に配置する検知モジュールを有し、これによってガイド・プレートと可動プレートとの位置状況を検知することを特徴とする、
光学式ディスクの光学式ディスク・ドライブへの送入出に用いる光学式ディスク・ドライバー用ローディング・アンローディング・モジュール。
【請求項１６】
請求項１５に記載のモジュールにおいて、
検知モジュールは、第一センサと、第二センサと、第三センサと、第四センサとを有し、ガイド・プレートが第一センサと第二センサとを稼働させ、可動プレートが第三センサと第四センサとを稼働させることを特徴とする、
光学式ディスクの光学式ディスク・ドライブへの送入出に用いる光学式ディスク・ドライバー用ローディング・アンローディング・モジュール。
【請求項１７】
請求項１６に記載のモジュールにおいて、
第一センサと第二センサとは、ガイド・プレートのバルジ・リムで可動し、第三センサと第四センサとは、可動プレート上の第一トリガ・プレートと第二トリガ・プレートによって稼動することを特徴とする、
光学式ディスクの光学式ディスク・ドライブへの送入出に用いる光学式ディスク・ドライバー用ローディング・アンローディング・モジュール。
【発明の詳細な説明】
【技術分野】
【０００１】
本発明は、光学式ディスク・ドライブ用ローディング・アンローディング・モジュールに関するものであり、特に光学式ディスク・ドライブ用の様々なサイズのディスクに適用可能なスロット・イン・タイプのローディング・アンローディング・モジュールに関するものである。
【背景技術】
【０００２】
現在、一般的に見受けられる光学式ディスク・ドライブは、トレイ・ローディング・タイプとリーフ・アクチュエイション・ローディング・タイプとに分類することができる。トレイ・ローディング・タイプは、通常ディスクトップ・コンピュータに利用され、リーフ・アクチュエイション・ローディング・タイプは、殆どの場合ノート型パソコンに利用される。
【０００３】
トレイ・ローディング・タイプの方が広いスペースを必要とし、使用に際しては、トレイがイジェクトされ、光学式ディスクをそこにロードし、その後トレイが光学式ディスク・ドライブに引き込まれて、読み出しを開始する。
【０００４】
ここでの問題は、トレイをイジェクトするために必要な広いスペースにある。しかも、インパクトによってディスク・ドライブにダメージを与える可能性もある。トレイが引き込まれた時に光学式ディスクが適切な位置になかった場合、光学式ディスクがトレイと光学式ディスク・ドライブの間に詰まってしまう。
【０００５】
リーフ・アクチュエイション・ローディング・タイプは、一般的に云ってスペースに制限がある場合に利用されるものである。たいていは、ノート型パソコンに利用されている。
【０００６】
しかしながら、イジェクトの際には光学式モジュールとトレイが同時にイジェクトされることとなる。光学式ディスクを搭載したり、取り除いたりする際に、ちょっとしたエラが発生した場合、光学式モジュールは、簡単にだめになったり、ダメージを受ける可能性があり、結果的に光学式ディスク・ドライブの機能障害になる可能性がある。
【０００７】
上述の問題点を克服する目的で、米国特許第６４１４９２７号は、ローラ・ローディング方式を開示している。この特許における主なコンセプトとしては、光学式ディスク・ドライブの出口上に、細長ローラを展開するといったものである。ローラ・ローディング方式において、光学式ディスクが挿入されると、ローラが摩擦力を利用して光学式ディスクを適切な位置へ運ぶ。この方式は様々な（一般的には８ｃｍと１２ｃｍの）サイズの光学式ディスクに適用可能である。
【０００８】
また、米国特許第６４４９２３４号は、他のタイプのローディング技術を開示し、それはアクチュエイティング・レバーを利用して光学式ディスクを運ぶものである。
【発明の開示】
【発明が解決しようとする課題】
【０００９】
しかしながら、米国特許第６４１４９２７号のローラ・ローディング方式は、ディスクがローラの摩擦で動くので、ディスクを運ぶ過程でディスク表面が傷つけられたり、ダメージを受けたりすることがある。しかも、ローラ上に、ほこりや外部物質が付着すると、ディスク表面に傷を付けたり、深刻なダメージを与えることとなり得る。
【００１０】
米国特許第６４４９２３４号の方式は、米国特許第６４１４９２７号では必要であったトレイを必要としないし、ディスク表面を傷つけるといった問題を回避することができるが、様々なサイズのディスクへの適用ができない。
【課題を解決するための手段】
【００１１】
上述のような従来技術の欠点を考慮に入れ、本発明の主な目的は、従来のトレイ・ローディングやリーフ・アクチュエイションに代替可能であり、光学式ディスクを傷つけたり、ダメージを与えたりする可能性を回避し、スペースの有効利用性を改善し、様々なサイズのディスクに適用可能な、光学式ディスクのローディング・アンローディング・モジュールを提供することである。
【００１２】
本発明のローディング・アンローディング・モジュールは、トラック・プレートと、可動プレートと、ガイド・プレートと、ガイド・アームと、３本のローラとで構成されている。
【００１３】
トラック・プレートは、前方端部の両側に後方に伸長する２つのバイアス・メイン・トラックと後方端部にリア・トラックとを持つ。各メイン・トラックは、最側部に側部死点（ＤＥＡＤ  ＰＯＩＮＴ）があり、前方端部に前方死点があり、後方端部に後方死点がある。
【００１４】
可動プレートは、トラック・プレート上に移動可能に搭載され、リア・トラックに対応するボトム・トラックと、バイアス・メイン・トラックとマッチする第一トラックとを有する。
【００１５】
ガイド・プレートは、可動プレート上に搭載され、弾性メカニズムによって接続される。ディスクの挿入方向に対して垂直方向の前方端部の両側には横断トラックが配置されている。
【００１６】
ガイド・アームは、ガイド・プレート上に搭載され、可動プレートと連結された後方端部を有し、枢支点でアンカーされている。
【００１７】
３本のローラは、配置された場所によって、２本のフロント・ローラと１本のリア・ローラとに別れる。フロント・ローラは、トラック・プレートのメイン・トラックと、可動プレートの第一トラックと、ガイド・プレートの横断トラックとを通過するものである。リア・ローラは、トラック・プレートのリア・トラックと、可動プレートのボトム・トラックと、ガイド・アームのリア・トラックとを通過し、フロント・ローラと同期するようにハーネスされる。
【００１８】
ディスクが挿入されると、２本のフロント・ローラは、メイン・トラックの側部死点に押され、ガイド・プレートが同時に後向へスライドされるように可動する。弾性メカニズムの弾性力によって、ディスクは内方に移動し、フロント・ローラとリア・ローラで以って留められる。そして、可動プレートが可動して、フロント・ローラが、読み取りを行うために、ディスクを開放する後部死点に移動するまで、ディスクを光学式ディスク・ドライブへと運ぶ。読み取りが完了した後、可動プレートは、フロント・ローラがメイン・トラックの前部死点に移動するまで、ディスクを外方に移動して、ディスクを開放する、弾性メカニズムがディスクをアンロードする。
【００１９】
本発明に関する、前述および追加の目的、特徴、そして効果は、以下の詳細な説明からより明らかなものとなり、その詳細な説明は添付の図面を参照しながら行われる。
【発明を実施するための最良の形態】
【００２０】
図１Ａは、本発明に基づく光学式ディスク・ドライブ用のローディング・アンローディング・モジュール４００である。本モジュールは、主に光学式モジュール１００と、ボトム・プレート・モジュール２００と、駆動モジュール３００と、検知モジュール５００とを連結する、光学式ディスク・ドライブに利用されるものである。
【００２１】
ボトム・プレート・モジュール２００は、主に光学式モジュール１００と、駆動モジュール３００と、ローディング・アンローディング・モジュール４００とを支持する役目を果たす。
【００２２】
光学式モジュール１００は、光学式ピックアップと、スピンドル・モータと、光学式ディスクを読み取る（図示されない）トランスミッション・システムとを含むものである。
【００２３】
駆動モジュール３００は、ローディング・アンローディング・モジュール４００が必要とする動力を供給するものである。以下は、主にローディング・アンローディング・モジュール４００に焦点を置いて記述する。
【００２４】
ローディング・アンローディング・モジュール４００は、トラック・プレート４４と、可動プレート４３と、ガイド・プレート４１と、ガイド・アーム４２とを積層し、この順番で組み立てるものである。
【００２５】
図１Ｂにおいて、３本のローラ６１，６２，６３は、（図５にも示されているが）光学式ディスクを係止する３点アンカーの役割を果たしている。光学式ディスク・ドライブでの出入が可能なようディスクを運ぶことが本発明のローディング・アンローディング・モジュール４００の目指すところである。
【００２６】
本発明のローディング・アンローディング・モジュール４００は、トラック・プレート４４と、可動プレート４３と、ガイド・プレート４１と、２本のフロント・ローラ６２，６３と、リア・ローラ６１と、ガイド・アーム４２とより構成するものである。
【００２７】
底部に配置するトラック・プレート４４は、金属シートで形成される。図３を参照すると、そこには、リア・ローラ６１と連結するリア・トラック４４１と、フロント・ローラ６２と連結するガイド・トラック４４２とが図示されている。２本のフロント・ローラ６２と６３については、その作動が同じであるから、ここではフロント・ローラ６２についてのみ説明する。
【００２８】
リア・ローラ６１は、移動可能にトラック・プレート４４のリア・トラック４４１と可動プレート４３のボトム・トラック４３２に配置する。
【００２９】
そして、ガイド・トラック４４２は、メイン・トラック４４２５と２次トラック４４２４とを有し、夫々が大小のディスクを支持するように構成されている。ガイド・トラック４４２は、同期可能にトラック・プレート４４の前端部の両側に形成されている。リア・トラック４４１は、トラック・プレート４４の後端部に配置される。
【００３０】
可動プレート４３は、ボトム・トラック４３２と可動トラック４３１とを有し、それらを図２に示すように前端部に配置する。可動トラック４３１は、第一トラック４３１１と第二トラック４３１２とを有し、夫々で大小のディスクを支持するよう構成してある。可動プレート４３には、その中央付近にオープニング４３５があり、光学式ディスク・ドライブのクランパ７０が（図３に示すようにトラック・プレート４４の中央部に位置するアパチャ４４４をも）通過可能な構成としている。可動プレート４３は、駆動モジュール３００によって稼動し、移動をする。可動プレート４３は、図３に示すトラック・プレート４４上に位置する複数のアンカー・バルジ・ポイント４４３と連携するアンカー・トラック４３６を有し、可動プレート４３をトラック・プレート４４に対して前後に移動可能となる。言い換えれば、可動プレート４３は、トラック・プレート４４上に可動的に搭載されるものである。そして、後端部のボトム・トラック４３２は、リア・トラック４４１と対応する。更に、可動プレート４３は、ガイド・トラック４４２と対応する両側に対称に配置された可動トラック４３１を有する。
【００３１】
図１Ｂを参照すると、ガイド・プレート４１は、略Ｕに形成され、可動プレート４３のエッジでクランプ・セクション４３８によって保持され、（図２にも示されるように）可動プレート４３上にアンカーされる。ガイド・プレート４１は、ガイド・プレート４１と可動プレート４３との相対位置を調整するスプリング４１２を介して可動プレート４３に接続される２つの側部を有する。
【００３２】
ガイド・プレート４１は、更にディスクの挿入方向に殆ど垂直の前方端部の両側部上に位置する横断トラック４１１を持つ。すなわち、ガイド・プレート４１には、可動プレート４３上に、前方端部の両側に水平に配置された横断トラック４１１が配置される。可動プレート４３とガイド・プレート４１とが、弾性メカニズム４１２を通じて接続され、相互移動可能となり、弾性的に相関関係にあることが望ましい。
【００３３】
ガイド・アーム４２は、ガイド・プレート４１上に位置し、可動プレート４３上に可動的に配置され、枢支可能に接続される。ガイド・アーム４２は、バイアス・アームであり、図２に示すように、可動プレート４３上の枢支点４３７と枢支可能に係合する１つの底部を有している。ガイド・アーム４２は、更に前端トラック４２１とリア・エンド・トラック４２２とを有し、フロント・ローラ６２とリア・ローラ６１に夫々が連結される。
【００３４】
すなわち、フロント・ローラ６２は、トラック・プレート４４のガイド・トラック４４２、可動プレート４３の可動トラック４３１、ガイド・プレート４１の横断トラック４１１の夫々に連結される。フロント・ローラ６２および６３が左右対称であり、ガイド・プレート４１の制御下で同期移動が可能であり、リア・ローラ６１を二つのフロント・ローラ６２，６３と同期移動可能にするためにガイド・アーム４２が設けられている。
【００３５】
本発明が、大型ディスクを利用する装置に採用される場合、（殆どの場合は１２ｃｍの）大型ディスク９１は、図６Ａに示されるように、前方端部に配置される。
【００３６】
まず、（図８も参照すると）ディスクは、ローラ６２，６３と接触し、大型ディスク９１が、継続的に内方へ移動しながら、ローラ６２，６３が押されて移動する。ローラ６２，６３がガイド・プレート４１の横断トラック４１１によって拘束されている間、可動プレート４３の可動トラック４３１とトラック・プレート４４のガイド・トラック４４２とが可動プレート４３の可動トラック４３１の第一トラック４３１１とトラック・プレート４４のガイド・トラック４４２のメイン・トラック４４２５に沿って２側部方向へ移動する。この間、ガイド・プレート４１の横断トラック４１１は押されて、全体が後方に移動し、図６Ｂに示されるようにスプリング４１２を延ばす。ローラ６１は、またガイド・アーム４２によって拘束され後方に同期移動する。
【００３７】
大型ディスク９１が、継続的に内方へ移動し、最大径部分が通過可能であった場合、ローラ６２，６３がガイド・トラック４４２のメイン・トラック４４２５の側部死点４４２１に押され、大型ディスク９１が図６Ｂに示すように継続的に移動可能となる。
【００３８】
大型ディスクが通過したら、スプリング４１２のスプリング力で、ガイド・プレート４１は、前方に移動し、図６Ｃに示されるように、大型ディスク９１が３本のローラ６１，６２，６３によって留められてアンカー付けされるまで、継続的に大型ディスク９１を内方へ運ぶこととなる。
【００３９】
ディスクが留められ固定されると、駆動モジュール３００は、図６Ｄに示すように可動プレート４３を後方へ駆動させる。この間、光学式ディスク・ドライブのクランパ７０は、元の高架位置から移動して、可動プレート４３のリッジ４３５１によって急動し、（図２にも示されるように）大型ディスク９１を係止するリセス４３５２に干渉しないようにする。
【００４０】
次に、可動プレート４３は、ローラ６２，６３が、トラック・プレート４４のメイン・トラック４４２５の後方死点４４２３に移動するまで、継続的に後方に移動することによって、ローラ６２，６３が、大型ディスク９１の直径を超える場所に位置し、大型ディスク９１が、ローラ６１，６２，６３の係止状態から外れることとなる。そして、クランパ７０は、ディスクを留め、光学式モジュール１００が読み取り開始可能となる。
【００４１】
大型ディスクをイジェクトするには、まず大型ディスク９１が、ローラ６１，６２，６３によって係止状態に戻る必要がある。そして、図６Eに示すように、可動プレート４３が、前方に移動してローラ６２を前方死点４４２２に到達するまで、トラック・プレート４４のメイン・トラック４４２５に沿って外方に移動する。この状態で、ローラ６１，６２は、大型ディスク９１から遠ざかる方向へ移動し、稼動部材８２が図４に示されるように稼動して、大型ディスク９１を図６Fに示すように第一ステージへと押し出す。そして、可動プレート４３は、図６Gに示すように、トラック・プレート４４のメイン・トラック４４２５の位置へと移動する。スプリング４１２のスプリング力が、ガイド・プレート４１を引き込み、ローラ６２，６３を稼動させて、大型ディスクを図６Hに示すように押し出す。
【００４２】
小型ディスクに関しては、その基本操作の原理が大型ディスク９１で説明したものと同じである。まず、（通常は８ｃｍの）小型ディスク９２が、図７Aに示すように前方端部より挿入され、（図８にもまた示されるように）ローラ６２，６３と当接する。
【００４３】
小型ディスク９２を継続的に内方に移動させることで、ローラ６２，６３が押されて移動する。ローラ６２，６３が、ガイド・プレート４１の横断トラック４１１によって拘束されるので、可動プレート４３の可動トラック４１１とトラック・プレート４４のガイド・トラック４４２と、ローラ６２，６３とが、可動プレート４３の可動トラック４１１の第一トラック４３１１とトラック・プレート４４のガイド・トラック４４２のメイン・トラック４４２５に沿って、両側方向へと移動する。この間、ガイド・プレート４１の横断トラック４１１は、押されて全体が後方へ移動し、図７Bに示すようにスプリング４１２が伸ばされる。
【００４４】
ローラ６１は、またガイド・アーム４２によって拘束され、後方へと同期可能に移動される。小型ディスク９２が継続的に内方へ移動し、通過最大径となった場合、小型ディスク９２が大型ディスク９１よりも小さな径を持つため、ローラ６２，６３は、図７Bに示すように、ガイド・トラック４４２のメイン・トラック４４２５の側部死点４４２１へと押し出されることはない。しかし、同様に小型ディスクの最大径部分が通過した後、スプリング４１２によって、ガイド・プレート４１は、継続的に前方へ移動し、図７Cに示すように、小型ディスク９２が係止され、３本のローラ６１，６２，６３によって３点でアンカーされるまで、小型ディスクを内方へと運ぶことになる。
【００４５】
ディスクが、係止されて固定されたら、駆動モジュール３００が、図７Dに示すように、可動プレート４３を後方に移動させる。この間、光学式ディスク・ドライブのクランパ７０は、元の高架位置から移動して、可動プレート４３のリッジ４３５１によって急動し、小型ディスク９２が（図２にも示されるように）小型ディスク９２を係止するリセス４３５２に干渉しないようにする。
【００４６】
次に、小型ディスク９２のサイズが小さいため、ローラ６２は、図７Eに示すように、ローラ６２，６３が小型ディスク９２の径より大きい位置に配置されるまで、トラック・プレート４４の２次トラック４４２４に沿って移動し、小型ディスク９２がローラ６１，６２，６３の係止から外れる。クランパ７０は、ディスクを係止し、光学式モジュール１００が、読み取りを開始する。更に、小型ディスク９２のサイズが小さいので、アンカー８１が、図４に示すように、小型ディスク９２をアンカーするために、トラック・プレート４４の後端部に位置する必要がある。このアンカー８１が大型ディスクと干渉し合うのを防ぐために、枢支構造を採用して大型ディスク９１が後方に移動する際の干渉を防ぐことが可能である。
【００４７】
小型ディスク９２をイジェクトするためには、まず小型ディスク９２をローラ６１，６２，６３による係止状態に戻し、可動プレート４３が、ローラ６２を、図７Fに示すように可動プレート４３の第二トラック４３１２でハーネスされる前端部に到達するまで、トラック・プレート４４の２次トラック４４２４に沿って移動させる。この状態で、ローラ６２，６３が、小型ディスク９２から遠ざかる方向へ移動し、図４に示すように駆動部材８２が稼動して、図７Gに示すように、まず小型ディスク９２を押し出す。そして、可動プレート４３は、トラック・プレート４４のメイン・トラック４４２５の位置まで戻り、スプリング４１２のスプリング力で以って、ガイド・プレート４１を稼動させ、小型ディスクを図７Hのように押し出す。
【００４８】
本発明は、従来技術のトレイ・ローディング光学式ディスク・ドライブとは異なり、ディスクの反復ローディングを防止するメカニズムを設ける必要がある。図８にその構成が示されている。そこには、ストッパ８３が示されている。光学式ディスクが、ローディングされた後、ストッパ８３が、上方に移動し、ディスクの出入口を閉鎖することによって、ディスクの反復ローディングを防止することが可能である。
【００４９】
更に、検知モジュール５００は、駆動モジュール３００の操作を精密にコントロールする目的で使用される。検知モジュール５００は、トラック・プレート４４上に設置され、主に第一センサ５１と、第二センサ５２と、第三センサ５３とより構成する。
【００５０】
図１Bに示したように、第一センサ５１と第二センサ５２とは、主にガイド・プレート４１のバルジ・リム４１３によって稼動し、制御モジュールに信号を伝送することによって、駆動モジュール３００をコントロールして、可動プレート４３を望ましい位置に移動させて、現在のディスク位置を表示するものである。
【００５１】
第三センサ５３と第四センサ５４とは、夫々が可動プレート４３の第一トリガ・プレート４３３と第二トリガ・プレート４３４によって稼動する。これらは、主に駆動モジュール３００によって稼動する可動プレート４３の稼動を検知し、トラック・プレート４４の位置を表示するものである。制御時間系列は、図９に示されている。第一センサ５１と、第二センサ５３と、第三センサ５４とを通じて、ディスクの現在位置と状況を精密に決定可能であり、正確な稼動を実施できる。
【００５２】
本発明の好適な実施例は、本発明を開示する目的でここに示されている一方、ここに開示された本発明にお実施例に対する変更とこれら以外の実施例は、当業者にとって考えられるものである。したがって、添付の請求工は、本発明の精神と権利の範囲を逸脱しない全実施例を含むことを意図して書かれたものである。
【図面の簡単な説明】
【００５３】
【図１Ａ】本発明の光学式ディスク・ドライブの概略図。
【図１Ｂ】本発明の光学式ディスク・ドライブの概略図。
【図２】本発明の可動プレートの概略図。
【図３】本発明のトラック・プレートの概略図。
【図４】本発明の光学式ディスク・ドライブの背面図。
【図５】本発明のローラの概略図
【図６Ａ】大型ディスク用に開発された本発明の光学式ディスク・ドライブの作動状態を示す概略図。
【図６Ｂ】大型ディスク用に開発された本発明の光学式ディスク・ドライブの作動状態を示す概略図。
【図６Ｃ】大型ディスク用に開発された本発明の光学式ディスク・ドライブの作動状態を示す概略図。
【図６Ｄ】大型ディスク用に開発された本発明の光学式ディスク・ドライブの作動状態を示す概略図。
【図６Ｅ】大型ディスク用に開発された本発明の光学式ディスク・ドライブの作動状態を示す概略図。
【図６Ｆ】大型ディスク用に開発された本発明の光学式ディスク・ドライブの作動状態を示す概略図。
【図６Ｇ】大型ディスク用に開発された本発明の光学式ディスク・ドライブの作動状態を示す概略図。
【図６Ｈ】大型ディスク用に開発された本発明の光学式ディスク・ドライブの作動状態を示す概略図。
【図７Ａ】小型ディスク用に開発された本発明の光学式ディスク・ドライブの作動状態を示す概略図。
【図７Ｂ】小型ディスク用に開発された本発明の光学式ディスク・ドライブの作動状態を示す概略図。
【図７Ｃ】小型ディスク用に開発された本発明の光学式ディスク・ドライブの作動状態を示す概略図。
【図７Ｄ】小型ディスク用に開発された本発明の光学式ディスク・ドライブの作動状態を示す概略図。
【図７Ｅ】小型ディスク用に開発された本発明の光学式ディスク・ドライブの作動状態を示す概略図。
【図７Ｆ】小型ディスク用に開発された本発明の光学式ディスク・ドライブの作動状態を示す概略図。
【図７Ｇ】小型ディスク用に開発された本発明の光学式ディスク・ドライブの作動状態を示す概略図。
【図７Ｈ】小型ディスク用に開発された本発明の光学式ディスク・ドライブの作動状態を示す概略図。
【図８】本発明のストッパの概略図。
【図９】本発明の制御時間の順序表。
【符号の説明】
【００５４】
１００            光学式モジュール
２００            ボトム・プレート・モジュール
３００            駆動モジュール
４１              ガイド・プレート
４２              ガイド・アーム
４３              可動プレート
４４              トラック・プレート
４００            ローディング・アンローディング・モジュール
４１１            横断トラック
４１２            スプリング
４１２            弾性メカニズム
４１３            バルジ・リム
４２１            前端トラック
４２２            リア・エンド・トラック
４３３            第一トリガ・プレート
４３４            第二トリガ・プレート
４３７            枢支点
４３１            可動トラック
４３２            ボトム・トラック
４３５            オープニング
４３６            アンカー・トラック
４３８            クランプ・セクション
４４１            リア・トラック
４４２            ガイド・トラック
４４３            アンカー・バルジ・ポイント
４４４            アパチャ
４３１１          第一トラック
４３１２          第二トラック
４３５１          リッジ
４３５２          リセス
４４２１          側部死点
４４２２          前方死点
４４２４          ２次トラック
４４２５          メイン・トラック
５００            検知モジュール
５１              第一センサ
５２              第二センサ
５３              第三センサ
５４              第四センサ
５００            検知モジュール
６１              リア・ローラ
６２，６３        フロント・ローラ
７０              クランパ
８１              アンカー
８２              駆動部材
８３              ストッパ
９１              大型ディスク
９２              小型ディスク
【図１Ａ】
2005056541.tif 000003
【図１Ｂ】
2005056541.tif 000004
【図２】
2005056541.tif 000005
【図３】
2005056541.tif 000006
【図４】
2005056541.tif 000007
【図５】
2005056541.tif 000008
【図６Ａ】
2005056541.tif 000009
【図６Ｂ】
2005056541.tif 000010
【図６Ｃ】
2005056541.tif 000011
【図６Ｄ】
2005056541.tif 000012
【図６Ｅ】
2005056541.tif 000013
【図６Ｆ】
2005056541.tif 000014
【図６Ｇ】
2005056541.tif 000015
【図６Ｈ】
2005056541.tif 000016
【図７Ａ】
2005056541.tif 000017
【図７Ｂ】
2005056541.tif 000018
【図７Ｃ】
2005056541.tif 000019
【図７Ｄ】
2005056541.tif 000020
【図７Ｅ】
2005056541.tif 000021
【図７Ｆ】
2005056541.tif 000022
【図７Ｇ】
2005056541.tif 000023
【図７Ｈ】
2005056541.tif 000024
【図８】
2005056541.tif 000025
【図９】
2005056541.tif 000026
【外国語明細書】
2005056541000001.pdf